(57)【要約】【課題】ブレーカの状態に応じて、オン／オフ操作を需要者が適切に行う。【解決手段】制御装置（１１０）は、分電盤（１２０）から、分岐ブレーカ（１２４）の動作情報（Ａ）を受信し、動作情報（Ａ）に関する通知情報（Ｂ）を端末装置（１３０）へ送信し、端末装置（１３０）から受信した分岐ブレーカ（１２４）の操作指示情報（Ｃ）に基づいて、分岐ブレーカ（１２４）のオンまたはオフを切り替える制御情報（Ｄ）を分電盤（１２０）へ送信する。【選択図】図２
2020010437.tif 000002
【特許請求の範囲】
【請求項１】
ブレーカが配置された分電盤から、前記ブレーカの動作情報を受信し、
前記動作情報に関する通知情報を端末装置へ送信し、
前記端末装置から受信した前記ブレーカの操作指示情報に基づいて、前記ブレーカのオンまたはオフを切り替える制御情報を前記分電盤へ送信することを特徴とする、制御装置。
【請求項２】
前記動作情報に基づいて前記ブレーカの状態を判定する判定処理を実行し、
前記判定処理にて得られた判定結果を前記通知情報に含めることを特徴とする、請求項１に記載の制御装置。
【請求項３】
前記判定結果には、
前記ブレーカの負荷状態を示す負荷状態情報と、
前記ブレーカが遮断する蓋然性を示す遮断予測情報との少なくとも一方が含まれることを特徴とする、請求項２に記載の制御装置。
【請求項４】
前記判定結果に変化があった場合、前記通知情報を送信することを特徴とする、請求項２または３に記載の制御装置。
【請求項５】
ブレーカが配置された分電盤と、
前記分電盤から、前記ブレーカの動作情報を受信する制御装置と、
前記制御装置から前記動作情報に関する通知情報を受信し、前記ブレーカの操作指示情報を前記制御装置へ送信する端末装置とを含み、
前記制御装置は、前記操作指示情報に基づいて、前記ブレーカのオンまたはオフを切り替える制御情報を前記分電盤へ送信することを特徴とする、制御システム。
【請求項６】
ブレーカが配置された分電盤から、前記ブレーカの動作情報を受信し、
前記動作情報に関する通知情報を端末装置へ送信し、
前記端末装置から受信した前記ブレーカの操作指示情報に基づいて、前記ブレーカのオンまたはオフを切り替える制御情報を前記分電盤へ送信することを特徴とする、制御方法。
【発明の詳細な説明】
【技術分野】
【０００１】
本発明は分電盤と連携する制御装置、それを備える制御システム、及び制御方法に関する。
【背景技術】
【０００２】
系統電力を宅内に取り込むための分電盤は、屋内幹線側の主幹ブレーカと、それを分岐させた分岐回路毎に設けられる分岐ブレーカとを備えている。宅内電力線の安全確保のため、各ブレーカには制限容量が設定されており、制限容量を超過した場合にはブレーカが落ちて通電が遮断する。しかし、需要者としては、ブレーカトリップによる宅内電力線への電力供給停止を極力回避したい要求がある。
【０００３】
特許文献１には、分岐ブレーカのオン／オフを制御することにより、ブレーカトリップによる電力供給停止の影響を軽減できる技術が開示されている。ここで、分電盤には、屋内幹線の全負荷電流を測定する電流検出器が設けられている。分岐ブレーカはコントローラの制御によってオン／オフの動作が可能である。コントローラは全負荷電流を監視し、負荷増大により、それが定格に接近した時に、あらかじめ定められた優先順位に基づいて分岐ブレーカを順次オフしていく。こうして、主幹ブレーカの遮断を回避し、宅内の全停電を防止することができる。
【先行技術文献】
【特許文献】
【０００４】
【特許文献１】特開平９−９３７８４号公報
【発明の概要】
【発明が解決しようとする課題】
【０００５】
しかしながら、上記従来技術は、あらかじめ定められた優先順位に基づいて分岐ブレーカを順次オン／オフにする。そのため、オン／オフにする分岐ブレーカを、実際の電気機器の使用状況に応じて需要者が適切に選択することができないという課題がある。
【０００６】
また、上記従来技術は、屋内幹線の全遮断が回避できるものではあるが、一般家庭等における、特定の分岐回路に電気機器を多く繋ぎすぎた結果その分岐回路のブレーカが遮断してしまうという事象の対策とはなっていない。
【０００７】
本発明の一態様は、ブレーカの状態に応じて、ブレーカのオン／オフ操作を需要者が適切に行うことを可能にすることを目的とする。
【課題を解決するための手段】
【０００８】
上記の課題を解決するために、本発明の一態様に係る制御装置は、ブレーカが配置された分電盤から、前記ブレーカの動作情報を受信し、前記動作情報に関する通知情報を端末装置へ送信し、前記端末装置から受信した前記ブレーカの操作指示情報に基づいて、前記ブレーカのオンまたはオフを切り替える制御情報を前記分電盤へ送信する。
【０００９】
上記の課題を解決するために、本発明の一態様に係る制御システムは、ブレーカが配置された分電盤と、前記分電盤から、前記ブレーカの動作情報を受信する制御装置と、前記制御装置から前記動作情報に関する通知情報を受信し、前記ブレーカの操作指示情報を前記制御装置へ送信する端末装置とを含み、前記制御装置は、前記操作指示情報に基づいて、前記ブレーカのオンまたはオフを切り替える制御情報を前記分電盤へ送信する。
【００１０】
上記の課題を解決するために、本発明の一態様に係る制御方法は、ブレーカが配置された分電盤から、前記ブレーカの動作情報を受信し、前記動作情報に関する通知情報を端末装置へ送信し、前記端末装置から受信した前記ブレーカの操作指示情報に基づいて、前記ブレーカのオンまたはオフを切り替える制御情報を前記分電盤へ送信する。
【発明の効果】
【００１１】
本発明の一態様によれば、ブレーカの状態に応じて、ブレーカのオン／オフ操作を需要者が適切に行うことが可能となる。
【図面の簡単な説明】
【００１２】
【図１】本発明の実施形態１に係る制御システム全体を示す図である。
【図２】上記制御システムが備える制御装置を示す図である。
【図３】上記制御システムが備える分電盤を示す図である。
【図４】上記制御装置の処理を示すフローチャートである。
【図５】上記制御システムが備える端末装置における表示例を示す図である。
【図６】本発明の実施形態２に係る表示例を示す図である。
【図７】本発明の実施形態３に係る表示例を示す図である。
【発明を実施するための形態】
【００１３】
以下、図面に基づいて本発明の実施の形態について説明する。ただし、この実施の形態に記載されている構成の材質、形状、相対配置、加工法などはあくまで一例に過ぎず、これらによってこの発明の範囲が限定解釈されるべきではない。さらに、図面は模式的なものであり、寸法の比率、形状は現実のものとは異なる。また、各図において、同一若しくは相応する構成要素には同一の符号を付していることがある。
【００１４】
〔実施形態１〕
本発明の実施形態１について図１〜図５に基づいて説明する。
【００１５】
（制御システム１００の構成）
まず、図１〜図３に基づいて、制御システム１００の構成を説明する。図１は、本実施形態の制御システム１００全体を示す模式図である。図示するように、制御システム１００は、制御装置１１０、分電盤１２０、端末装置１３０を有している。制御装置１１０は通信回線Ｎに接続されており、通信回線Ｎを介して、分電盤１２０および端末装置１３０の各々と双方向に通信可能になっている。通信回線Ｎは特に限定されず、宅内ＬＡＮ回線や、インターネット、専用回線等、公知の通信回路で適宜に構成することができる。
【００１６】
本実施形態では、分電盤１２０に配置された分岐ブレーカ１２４の状態を端末装置１３０のディスプレイ１３１に表示し、分岐ブレーカ１２４のオン／オフを需要者Ｕが遠隔操作する制御の一例を説明する。
【００１７】
（制御装置１１０の構成）
図２は、本実施形態の制御装置１１０の構成を示すブロックである。図示するように制御装置１１０は、制御部１１１、通信部１１２、判定部１１３を有している。
【００１８】
制御部１１１は、通信部１１２、判定部１１３に指示を行い、制御装置１１０全体の動作を統括する。
【００１９】
通信部１１２は、分電盤１２０および端末装置１３０の各々と双方向に通信可能になっている。例えば、通信部１１２は、分電盤１２０から分岐ブレーカ１２４の動作状態を示す動作情報Ａを受信し、また端末装置１３０から分岐ブレーカ１２４の操作指示情報Ｃを受信する。さらに、通信部１１２は、制御部１１１の制御に従って、端末装置１３０に対し通知情報Ｂを送信し、また分電盤１２０に対し制御情報Ｄを送信する。
【００２０】
判定部１１３は、動作情報Ａに基づいて分岐ブレーカ１２４の状態を判定する判定処理を実行し、判定結果を算出する機能を有している。
【００２１】
（分電盤１２０の構成）
図３は、分電盤１２０の構成を示す図である。分電盤１２０は、系統電力１４０から宅内に引き込まれた屋内幹線１２１を複数の分岐回路１２２に分岐する。分電盤１２０には、屋内幹線１２１に設置される主幹ブレーカ１２３と、分岐回路１２２に設置される分岐ブレーカ１２４とが配置されている。分岐ブレーカ１２４の近傍には、分岐ブレーカ１２４を通じて供給される電気の使用量を検出する検出器１２５が設けられている。さらに分電盤１２０は、分電盤制御部１２６と分電盤通信部１２８を備えている。
【００２２】
ここで、分岐ブレーカ１２４は、制限容量を超える電気の使用量となった場合等に遮断（トリップ）する（オフ動作する）だけでなく、分電盤外からの制御情報Ｄによってもオン／オフの切り替えが可能に構成されている。
【００２３】
分電盤１２０は、分電盤通信部１２８を通じて、分岐ブレーカ１２４の動作情報Ａを制御装置１１０へ送信する。また、分電盤１２０は、分電盤通信部１２８を通じて、制御情報Ｄを受信する。
【００２４】
動作情報Ａには、分岐ブレーカ１２４のオン／オフ状態を示すオン／オフ情報Ａ１、制限容量を示す制限容量情報Ａ２、電気の使用量を示す使用量情報Ａ３を含み得る。制限容量情報Ａ２は、分電盤制御部１２６の記憶部１２７に予め記憶されているが、分岐ブレーカ１２４自体が記憶していても良い。各回路の使用量や各ブレーカの制限容量を示す物理量としては、電力または電流が用いられ得る。
【００２５】
なお、主幹ブレーカ１２３のオン／オフを需要者Ｕが遠隔操作可能とするために、主幹ブレーカ１２３についても、分電盤外部からの制御情報Ｄによってオン／オフの動作が可能であっても良い。また、電気の使用量を検出する検出器１２５が主幹ブレーカ１２３に設けられていても良い。この場合、制御装置１１０へ送信する動作情報Ａには、分岐ブレーカ１２４の動作情報とともに、主幹ブレーカ１２３の動作情報が含まれる。
【００２６】
（端末装置１３０の構成）
端末装置１３０は、通信機能を備えた、スマートフォン、タブレット端末、またはノートパソコン等の機器である。端末装置１３０は、ディスプレイ１３１、及び需要者Ｕの入力操作を受け付ける操作部１３２を含む。なお、端末装置１３０は、ディスプレイ１３１及び操作部１３２の機能を有するタッチパネル式ディスプレイを有していても良い。
【００２７】
端末装置１３０は、制御装置１１０から通知情報Ｂを受信した場合、通知情報Ｂに基づく情報をディスプレイ１３１に表示する。また、端末装置１３０は、操作部１３２に対する需要者Ｕの入力操作を受け付けた場合、当該入力操作に応じた操作指示情報Ｃを制御装置１１０へ送信する。
【００２８】
（制御装置１１０の処理）
次に、図４及び図５に基づいて、制御装置１１０の処理（制御方法）を説明する。図４は、制御装置１１０の処理を示すフローチャートである。このフローチャートは、制御装置１１０が分電盤１２０及び端末装置１３０と連携して、端末装置１３０から分岐ブレーカ１２４のオン／オフを切り替える遠隔切替処理の一例を示している。
【００２９】
まず、制御装置１１０は、通信部１１２で分電盤１２０からの動作情報Ａを受信する（Ｓ１）。本実施形態では、制御装置１１０は、分電盤１２０から動作情報Ａを所定の周期間隔で受信する。ただし、制御装置１１０は、分電盤１２０から動作情報Ａを常時に受信しても良い。
【００３０】
次に、判定部１１３は、動作情報Ａに含まれるオン／オフ情報Ａ１、制限容量情報Ａ２、使用量情報Ａ３等に基づいて、分岐ブレーカ１２４の状態を判定する判定処理を行う（Ｓ２）。この判定処理としては、例えばそれぞれの分岐ブレーカ１２４の負荷状態（利用状態）を判定する処理等が挙げられる。より具体的に例示すると、判定部１１３は、制限容量情報Ａ２及び使用量情報Ａ３に基づいて、分岐ブレーカ１２４の制限容量（遮断容量）に対する使用量の比率を算定する。そして、判定部１１３は、算定した比率に応じて、負荷状態が安定／注意／危険の３段階の何れに属するかを判定する。
【００３１】
例えば、使用量が制限容量付近で逼迫しており、分岐ブレーカ１２４が今にも遮断し得る状態にある場合（数値例として使用比率が９５％以上）、判定部１１３は負荷状態を「危険」と判定する。また、使用量が制限容量に対して一定の範囲内にあり、制限容量まである程度の余裕がある状態の場合（数値例として使用比率が８０％以上９５％未満）、判定部１１３は負荷状態を「注意」と判定する。さらに、使用量が制限容量に対して上記一定の範囲未満であり、制限容量まで十分に余裕がある状態の場合（数値例として使用比率が８０％未満）、判定部１１３は負荷状態を「安定」と判定する。なお、判定部１１３は、オン／オフ情報Ａ１に基づいて分岐ブレーカ１２４がオフ状態にある場合、負荷状態を「遮断」と判定する。
【００３２】
判定部１１３は、分電盤１２０から受信した動作情報Ａ及び判定処理によって得られた判定結果を履歴情報として記憶部（図示省略）に格納する。
【００３３】
次に、制御部１１１は、判定結果が変化したか否かを判断する（Ｓ３）。例えば、制御部１１１は、履歴情報に基づいて、最新の判定結果と直近の判定結果とを比較し、最新の判定結果に直近の判定結果から変化した項目があるか否かを判断する。
【００３４】
より具体的には、分岐ブレーカ１２４の負荷状態が全て「安定」である状況から、ある分岐ブレーカ１２４について負荷状態が「注意」または「危険」に変化した場合、制御部１１１は、判定結果が変化したと判断する。判定結果に変化がある場合（Ｓ３でＹＥＳ）、制御部１１１は、通信部１１２を制御して、端末装置１３０に対して通知情報Ｂを送信する。なお、負荷状態が例えば「注意」または［危険］から「安定」に戻った場合についても、需要者Ｕに負荷状態が「安定」に戻ったことを知らせるために、制御部１１１は、端末装置１３０に対して通知情報Ｂを送信しても良い。一方、判定結果に変化がない場合（Ｓ３でＮＯ）、制御部１１１は、端末装置１３０に対して通知情報Ｂを送信せずに遠隔切替処理を終了する。
【００３５】
制御装置１１０から端末装置１３０へ送信される通知情報Ｂには、分電盤１２０から受信した動作情報Ａの内容、及び上記判定処理によって得られた負荷状態情報等が含まれる。本実施形態では、通知情報Ｂには、それぞれの分岐ブレーカ１２４に対応付けられたて、オン／オフ情報Ａ１の内容、使用量情報Ａ３の内容、上記判定処理の判定結果等が含まれる。
【００３６】
端末装置１３０は、通知情報Ｂを受け取ると、ディスプレイ１３１に通知情報Ｂに基づく通知画面を表示する（図５参照）。需要者Ｕは、通知画面を確認することにより、分岐ブレーカ１２４の状態を把握することができる。したがって、需要者Ｕは、分岐ブレーカ１２４の状態に応じて、任意の分岐ブレーカ１２４のオン／オフ操作を適切に行うことが可能となる。表示された通知画面を参考にして需要者Ｕが、端末装置１３０を操作して、分岐ブレーカ１２４のオン／オフ状態の切り替えを指示した場合、端末装置１３０は、操作指示情報Ｃを制御装置１１０に送信する。
【００３７】
次に、通知情報Ｂに対する応答として、端末装置１３０から操作指示情報Ｃを受信した場合（Ｓ５でＹＥＳ）、制御部１１１は、操作指示情報Ｃの内容に従って指定された分岐ブレーカ１２４のオン／オフを切り替える制御情報Ｄを生成する。そして、制御部１１１は、通信部１１２を制御して、生成した制御情報Ｄを分電盤１２０へ送信する（Ｓ６）。これにより、分電盤１２０において、分電盤制御部１２６が制御情報Ｄに基づいて指定された分岐ブレーカ１２４のオン／オフを切り替える動作を実行することで、一連の遠隔切替処理が終了する。一方、制御装置１１０が端末装置１３０から操作指示情報Ｃを受信しない場合（Ｓ５でＮＯ）、制御部１１１は、端末装置１３０に対して制御情報Ｄを送信せずに遠隔切替処理を終了する。
【００３８】
制御装置１１０は、分電盤１２０から動作情報Ａを受信するごとに、または所定の周期間隔で図４に示される以上の一連の遠隔切替処理を実行する。
【００３９】
なお、本実施形態では、端末装置１３０から分岐ブレーカ１２４のオン／オフを切り替える遠隔切替処理の一例について説明した。ただし、主幹ブレーカ１２３の状態についても端末装置１３０のディスプレイ１３１に表示し、主幹ブレーカ１２３のオン／オフを需要者Ｕが遠隔操作することも可能である。
【００４０】
（利点）
図５は、本実施形態において、端末装置１３０のディスプレイ１３１に表示される通知画面の一例を示す。通知画面には、それぞれの分岐ブレーカ１２４に対応付けられた各種の情報が含まれる。
【００４１】
通知画面の「電力」の列には、使用量情報Ａ３に基づいた、電力の情報が示されている。また、「状態」の列には、上記判定処理の判定結果である負荷状態情報が示されている。「ブレーカ操作」の列には、オン／オフ情報Ａ１に基づいた、分岐ブレーカ１２４の入（オン）または切（オフ）の切り替え操作ボタンが表示されている。
【００４２】
需要者Ｕは、負荷状態情報（安定／注意／危険）等に基づいて、分岐ブレーカ１２４の状態を適切に把握することができる。したがって、需要者Ｕは、分岐ブレーカ１２４の状態に応じて、任意の分岐ブレーカ１２４のオン／オフ操作を個別に行うことが可能となる。このような通知画面を表示することによって、需要者Ｕには以下のような利便性が生じる。
【００４３】
ケース１として、分岐ブレーカ１２４が遮断した場合、負荷状態情報の変化（「遮断」への変化）により、端末装置１３０には例えば図５のような通知画面が表示される。需要者Ｕは通知画面を視認することにより、遮断の発生、及びどの分岐ブレーカ１２４が遮断したのかを、分電盤１２０の設置場所まで確認に行くことなく、直ちに知ることができる。
【００４４】
また、需要者Ｕは、遮断した分岐ブレーカ１２４（分岐６）をオンにする操作を、端末装置１３０を通じて試みることができる。よって、分電盤１２０の操作のために分電盤１２０の設置場所まで行く必要性がない。
【００４５】
ケース２として、分岐ブレーカ１２４についての負荷状況が逼迫した状況になった場合、負荷状態情報の変化（「危険」への変化）により、通知画面が表示され、需要者Ｕは、特定の分岐ブレーカ１２４（分岐５）について、負荷が逼迫した状況にあることを知る。放置すると分岐ブレーカ１２４（分岐５）が遮断する恐れがあるため、需要者Ｕは通知画面を確認しながら、負荷状態情報のレベルが低下するまで、「危険」が表示された分岐回路１２２（分岐５）に接続された電気機器の電源を切っていく等の対応が可能となる。この際、需要者Ｕは、負荷状態が「安定」になるまで負荷を大きく削減し、遮断発生の可能性を小さくすることができる。あるいは需要者Ｕは、電気機器の電源を切ることによる利便低下の問題が大きいと判断すれば、負荷状態が「注意」になるまでに負荷削減を留めることもできる。このように、負荷状態情報を参考に需要者Ｕが電気機器使用の現場で逐次速やかに対応を判断でき、状況を確認しながら適切な対策を講じることができるようになる。
【００４６】
（実施形態１の効果）
以上のように、本実施形態に係る制御システム１００は、主幹ブレーカ１２３及び分岐ブレーカ１２４が配置された分電盤１２０と、分電盤１２０から、分岐ブレーカ１２４の動作情報Ａを受信する制御装置１１０と、制御装置１１０から動作情報Ａに関する通知情報Ｂを受信して通知画面を表示し、需要者Ｕが入力した操作指示情報Ｃを制御装置１１０へ送信する端末装置１３０とを含む。そして、制御装置１１０は、操作指示情報Ｃに基づいて、分岐ブレーカ１２４のオン／オフを切り替える制御情報Ｄを分電盤１２０へ送信する。
【００４７】
制御システム１００によれば、分電盤１２０の分岐ブレーカ１２４の状態（遮断している、遮断する可能性が高い等）を示す通知画面を端末装置１３０に表示する。それに基づいて、需要者Ｕは、分岐ブレーカ１２４の負荷の調整を行ったり、または端末装置１３０から分岐ブレーカ１２４のオン／オフの切り替えを行うことができる。例えば、需要者Ｕは、分岐ブレーカ１２４が遮断しないように、コンセントに接続している電気機器の差し替えを行ったり、電気機器の電源をオフにしたり、電気機器の動作モードを変更したりすることができる。
【００４８】
通知情報としては、分岐ブレーカ１２４が遮断されていないか、負荷が規定値を超えてないか、さらには過去の履歴情報から分岐ブレーカ１２４が遮断する可能性がないか等の各種情報が挙げられる。また、通知情報として、分岐ブレーカ１２４がどの場所・どの部屋・どの電気機器に接続されているかを表示することにより、遮断しそうな分岐ブレーカ１２４に対応する電気機器を容易に特定することが可能となる。
【００４９】
したがって、本実施形態によれば、ブレーカの状態に応じて、ブレーカのオン／オフ操作を需要者が適切に行うことが可能な制御システム１００を実現することができる。
【００５０】
〔実施形態２〕
本実施形態に係る制御システムは、遮断予測情報が通知情報に含まれる点において、実施形態１と異なっている。なお、説明の便宜上、上記実施形態にて説明した部材と同じ機能を有する部材については、同じ符号を付記し、その説明を繰り返さない。
【００５１】
（制御装置１１０の処理）
本実施形態では、図４の制御装置１１０の処理を示すフローチャートのステップＳ２における判定処理において、分岐ブレーカ１２４の負荷状態情報の履歴等に基づいて、分岐ブレーカ１２４が遮断する蓋然性（可能性）を判定する処理が加わっている。
【００５２】
より具体的に例示すると、判定部１１３は、負荷状態情報の履歴等に基づいて、分岐ブレーカ１２４が遮断する蓋然性（遮断予測情報）を安定／注意／警報の３段階の何れに属するかを判定する。
【００５３】
例えば、分岐ブレーカ１２４が遮断する蓋然性の高い状態にある場合、判定部１１３は遮断予測を「危険」と判定する。また、分岐ブレーカ１２４が遮断する蓋然性が中程度の場合、判定部１１３は遮断予測を「注意」と判定する。さらに、分岐ブレーカ１２４が遮断する蓋然性が低く安定した範囲内にある場合、判定部１１３は遮断予測を「安定」と判定する。
【００５４】
遮断予測の判定基準は、負荷状態情報の履歴に基づいて適宜に設定し得る。例えば、過去１か月間で「遮断」が２回以上存在、「危険」が１分を超えて存在、「注意」が５分を超えて存在、のいずれかの場合に「危険」と判定することができる。また、過去１か月間で「安定」以外の履歴が無ければ「安定」と判定し、「危険」と「安定」の間のレベルにある場合は「注意」と判定することができる。遮断予測の判断の基準は、この具体例に限られるものではなく、対象期間や負荷状態情報のレベルについて、適宜に選定できる。また、負荷状態情報の現在のレベルや、その傾向（上昇、一定、下降）を分類の基準に含めることも当然できる。
【００５５】
（利点）
図６は、本実施形態において、端末装置１３０のディスプレイ１３１に表示される通知画面の一例を示す。本実施形態では、表示される通知画面に遮断予測情報が追加され、「予測」の列に表される。このような通知画面を表示することによって、需要者Ｕには以下のような利便性が生じる。
【００５６】
ケース３として、需要者Ｕが、宅内系統が安定するよう、それぞれの分岐ブレーカ１２４が極力遮断しないようにコントロールする例について考える。
【００５７】
図６の通知画面について、分岐５、６に関しては、実施形態１のケース１、２で対応を説明したので省略する。その他の分岐１〜４について、需要者Ｕはどの系統を重点的に対処すべきかの判断を、「状態」の列の負荷状態情報、及び「予測」の列の遮断予測情報を参照して行うことができる。例えば、分岐３、４については、どちらも負荷状態情報は「注意」であるが、遮断予測情報は分岐３のみ「危険」で、より遮断する蓋然性が高い状態にあることがわかる。また、分岐１、２については、どちらも負荷状態情報は「安定」であるが、遮断予測情報は分岐２のみ「注意」で、より負荷が掛かっていることがわかる。よって、需要者Ｕは、分岐３がもっとも重点的に対処すべきであり、次に分岐４の優先順位が高いことを容易に把握できる。
【００５８】
このように、負荷状態情報とともに遮断予測情報を表示することにより、より適切にそれぞれの分岐ブレーカ１２４の状況を需要者Ｕが把握することができる。そのため、分岐ブレーカ１２４の遮断が発生しないように、分岐ブレーカ１２４の負荷の調整をより適切に行うことが可能となる。
【００５９】
〔実施形態３〕
本実施形態に係る制御システムは、分岐ブレーカ１２４に対応する接続先情報（部屋情報）が端末装置１３０に表示される点において実施形態２とは異なっている。また、主幹ブレーカ１２３についても、実施形態２における分岐ブレーカ１２４と同様に状態が表示され、制御し得る点が異なっている。
【００６０】
図７は、本実施形態において端末装置１３０のディスプレイ１３１に表示される通知画面の一例を示す。本実施形態では、図５や図６における、分岐ブレーカ番号に代えて、分岐ブレーカ１２４の接続先情報が、通知画面に表示されている。また、分岐ブレーカ１２４に加えて、主幹ブレーカ１２３も表示され、オン／オフの操作も可能となっている。
【００６１】
分岐ブレーカの接続先情報の例としては、リビング西、洗面浴室、台所、和室、洋室Ａ、廊下、エアコン１、常夜灯といったように、利用される部屋、電気機器への接続場所、接続機器が挙げられる。
【００６２】
このような表示を実現するために、制御装置１１０には、それぞれの分岐ブレーカ１２４に対応付けられた接続先情報があらかじめ登録されており、当該情報は、通知情報Ｂに含めて端末装置１３０へ送信される。
【００６３】
具体的にそれぞれの分岐ブレーカ１２４の接続先情報が表示されることにより、需要者Ｕは、上述のケース１から３において、分岐ブレーカ１２４に対応する電気機器を容易に把握することができるようになり、需要者Ｕの利便性はより高いものとなる。
【００６４】
以上、各実施形態において、特定の構成を具体例に挙げて説明したが、本発明の趣旨を逸脱しない範囲において、各構成を適宜に変形できる。
【００６５】
制御装置１１０から端末装置１３０への通知情報Ｂの送信は、端末装置１３０側から要求があった場合にされても良い。
【００６６】
ディスプレイ１３１に表示される電気の使用量を示す情報としては、電力を例に説明したが、これは電流でも良く、また制限容量に対する使用量の割合でも良い。
【００６７】
分岐ブレーカ１２４に対応づけられた接続先情報は、制御装置１１０にあらかじめ登録されているものとしたが、これに代えて、分電盤１２０または端末装置１３０にあらかじめ登録されていいても良い。
【００６８】
また、制御システム１００には、宅外に設置されたクラウドサーバが接続されていても良い。クラウドサーバは、動作情報Ａ、通知情報Ｂ、操作指示情報Ｃ、制御情報Ｄの少なくとも一部を取得し、長期間に渡って保存したり、その統計を取ったり、さらに情報を加工して需要者に提供したりするものであっても良い。
【００６９】
〔まとめ〕
本発明の態様１に係る制御装置は、ブレーカ（主幹ブレーカ１２３・分岐ブレーカ１２４）が配置された分電盤から、前記ブレーカの動作情報を受信し、前記動作情報に関する通知情報を端末装置へ送信し、前記端末装置から受信した前記ブレーカの操作指示情報に基づいて、前記ブレーカのオンまたはオフを切り替える制御情報Ｄを前記分電盤へ送信する構成を備えている。
【００７０】
上記の構成によれば、需要者にてブレーカの状況を容易に把握でき、ブレーカの負荷の調整を行ったり、また容易にブレーカのオン／オフ操作を行えるようにすることができる。
【００７１】
本発明の態様２に係る制御装置は、上記態様１において、前記動作情報に基づいて前記ブレーカの状態を判定する判定処理を実行し、前記判定処理にて得られた判定結果を前記通知情報に含めるものであっても良い。
【００７２】
上記の構成によれば、需要者にて、ブレーカの状況をより適切に把握できるようにすることができる。
【００７３】
本発明の態様３に係る制御装置は、上記態様２において、前記判定結果には、前記ブレーカの負荷状態を示す負荷状態情報と、前記ブレーカが遮断する蓋然性を示す遮断予測情報との少なくとも一方が含まれる構成とするものであっても良い。
【００７４】
上記の構成によれば、需要者にてブレーカの負荷の調整を行うための適切な判断材料を提供することができるようになる。
【００７５】
本発明の態様４に係る制御装置は、上記態様２または３において、前記判定結果に変化があった場合、前記通知情報を送信するものであっても良い。
【００７６】
上記の構成によれば、ブレーカの状態の変化を適切なタイミングで需要者に通知できるようになる。
【００７７】
本発明の態様５に係る制御システムは、ブレーカが配置された分電盤と、前記分電盤から、前記ブレーカの動作情報を受信する制御装置と、前記制御装置から前記動作情報に関する通知情報を受信し、前記ブレーカの操作指示情報を前記制御装置へ送信する端末装置とを含み、前記制御装置は、前記操作指示情報に基づいて、前記ブレーカのオンまたはオフを切り替える制御情報を前記分電盤へ送信する構成を備えている。
【００７８】
上記の構成によれば、需要者にてブレーカの状況を容易に把握でき、ブレーカの負荷の調整を行ったり、また容易にブレーカのオン／オフ操作を行えるようにすることができる。
【００７９】
本発明の態様６に係る制御方法は、ブレーカが配置された分電盤から、前記ブレーカの動作情報を受信し、前記動作情報に関する通知情報を端末装置へ送信し、前記端末装置から受信した前記ブレーカの操作指示情報に基づいて、前記ブレーカのオンまたはオフを切り替える制御情報を前記分電盤へ送信する構成を備えている。
【００８０】
上記の構成によれば、需要者にてブレーカの状況を容易に把握でき、ブレーカの負荷の調整を行ったり、また容易にブレーカのオン／オフ操作を行えるようにすることができる。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８２】
１００  制御システム
１１０  制御装置
１１１  制御部
１１２  通信部
１１３  判定部
１２０  分電盤
１２３  主幹ブレーカ
１２４  分岐ブレーカ
１２６  分電盤制御部
１２７  記憶部
１２８  分電盤通信部
１３０  端末装置
１３１  ディスプレイ
１３２  操作部
Ａ      動作情報
Ｂ      通知情報
Ｃ      操作指示情報
Ｄ      制御情報
【図１】
2020010437.tif 000003
【図２】
2020010437.tif 000004
【図３】
2020010437.tif 000005
【図４】
2020010437.tif 000006
【図５】
2020010437.tif 000007
【図６】
2020010437.tif 000008
【図７】
2020010437.tif 000009